【手続補正書】
【提出日】平成15年11月26日(2003.11.26)
【手続補正１】
【補正対象書類名】明細書
【補正対象項目名】特許請求の範囲
【補正方法】変更
【補正の内容】
【特許請求の範囲】
【請求項１】
入力画像に対して透かし情報を挿入する挿入手段と、
前記挿入手段により少なくとも一部に透かし情報が挿入された前記入力画像をタイル画像に分割する分割手段と、
前記タイル画像の夫々について、前記タイル内に透かし情報が挿入されているか否か、及び前記タイル内に文字や細線部が含まれるか否かを判断し、前記透かし情報が挿入されているタイル群、又は、前記透かし情報が挿入されていなくとも前記文字や細線部が含まれているタイル群には属性１を割り当て、それ以外のタイル群にはタイルの内容に応じた別の属性を割り当てる属性検出手段と、
前記属性１に相当するタイル群を非圧縮のデータ形態として出力し、前記別の属性に相当するタイル群を各タイルとは別のデータ形態に変換して出力する出力手段とを備えることを特徴とする画像処理装置。
【請求項２】
入力画像に対して透かし情報を挿入する挿入手段と、
前記挿入手段により少なくとも一部に透かし情報が挿入された前記入力画像をタイル画像に分割する分割手段と、
前記タイル画像の夫々について、前記タイル内に透かし情報が挿入されているか否か、及び前記タイル内に前記透かし情報とは異なる重要な情報が含まれるか否かを判断し、前記透かし情報が挿入されているタイル群、又は、前記透かし情報が挿入されていなくとも前記重要な情報が含まれているタイル群には属性１を割り当て、それ以外のタイル群にはタイルの内容に応じた別の属性を割り当てる属性検出手段と、
前記属性１に相当するタイル群を非圧縮のデータ形態として出力し、前記別の属性に相当するタイル群を各タイルとは別のデータ形態に変換して出力する出力手段とを備えることを特徴とする画像処理装置。
【請求項３】
前記属性検出手段は、前記タイル内に透かし情報が挿入されておらず、かつ、前記タイル内が実質的に同一色であるタイル群には属性３を割り当て、前記出力手段は、前記属性３の各タイルの代表値のデータ形態に変換して出力することを特徴とする請求項１又は２に記載の画像処理装置。
【請求項４】
前記属性検出手段は、前記タイル内に透かし情報が挿入されておらず、かつ、前記タイル内が実質的に同一色であるタイル群には属性３を割り当て、前記タイル内に透かし情報が挿入されておらず、かつ、前記属性３に該当しないタイル群に前記属性２を割り当て、前記出力手段は、前記属性２の各タイルをＪＰＥＧ符号化して出力することを特徴とする請求項１又は２に記載の画像処理装置。
【請求項５】
入力画像に対して透かし情報を挿入する挿入ステップと、
前記挿入ステップで少なくとも一部に透かし情報が挿入された前記入力画像をタイル画像に分割する分割ステップと、
前記タイル画像の夫々について、前記タイル内に透かし情報が挿入されているか否か、及び前記タイル内に文字や細線部が含まれるか否かを判断し、前記透かし情報が挿入されているタイル群、又は、前記透かし情報が挿入されていなくとも前記文字や細線部が含まれているタイル群には属性１を割り当て、それ以外のタイル群にはタイルの内容に応じた別の属性を割り当てる属性検出ステップと、
前記属性１に相当するタイル群を非圧縮のデータ形態として出力し、前記別の属性に相当するタイル群を各タイルとは別のデータ形態に変換して出力する出力ステップとを備えることを特徴とする画像処理方法。
【請求項６】
入力画像に対して透かし情報を挿入する挿入ステップと、
前記挿入ステップで少なくとも一部に透かし情報が挿入された前記入力画像をタイル画像に分割する分割ステップと、
前記タイル画像の夫々について、前記タイル内に透かし情報が挿入されているか否か、及び前記タイル内に前記透かし情報とは異なる重要な情報が含まれるか否かを判断し、前記透かし情報が挿入されているタイル群、又は、前記透かし情報が挿入されていなくとも前記重要な情報が含まれているタイル群には属性１を割り当て、それ以外のタイル群にはタイルの内容に応じた別の属性を割り当てる属性検出ステップと、
前記属性１に相当するタイル群を非圧縮のデータ形態として出力し、前記別の属性に相当するタイル群を各タイルとは別のデータ形態に変換して出力する出力ステップとを備えることを特徴とする画像処理方法。
【請求項７】
コンピュータに処理させる為のプログラムを記憶した記憶媒体であって、該プログラムには、
入力画像に対して透かし情報を挿入する挿入ステップと、
前記挿入ステップで少なくとも一部に透かし情報が挿入された前記入力画像をタイル画像に分割する分割ステップと、
前記タイル画像の夫々について、前記タイル内に透かし情報が挿入されているか否か、及び前記タイル内に文字や細線部が含まれるか否かを判断し、前記透かし情報が挿入されているタイル群、又は、前記透かし情報が挿入されていなくとも前記文字や細線部が含まれているタイル群には属性１を割り当て、それ以外のタイル群にはタイルの内容に応じた別の属性を割り当てる属性検出ステップと、
前記属性１に相当するタイル群を非圧縮のデータ形態として出力し、前記別の属性に相当するタイル群を各タイルとは別のデータ形態に変換して出力する出力ステップと
を備えることを特徴とする、コンピュータから読み取り可能な記憶媒体。
【請求項８】
コンピュータに処理させる為のプログラムを記憶した記憶媒体であって、該プログラムには、
入力画像に対して透かし情報を挿入する挿入ステップと、
前記挿入ステップで少なくとも一部に透かし情報が挿入された前記入力画像をタイル画像に分割する分割ステップと、
前記タイル画像の夫々について、前記タイル内に透かし情報が挿入されているか否か、及び前記タイル内に前記透かし情報とは異なる重要な情報が含まれるか否かを判断し、前記透かし情報が挿入されているタイル群、又は、前記透かし情報が挿入されていなくとも前記重要な情報が含まれているタイル群には属性１を割り当て、それ以外のタイル群にはタイルの内容に応じた別の属性を割り当てる属性検出ステップと、
前記属性１に相当するタイル群を非圧縮のデータ形態として出力し、前記別の属性に相当するタイル群を各タイルとは別のデータ形態に変換して出力する出力ステップと
を備えることを特徴とする、コンピュータから読み取り可能な記憶媒体。
【手続補正２】
【補正対象書類名】明細書
【補正対象項目名】０００６
【補正方法】変更
【補正の内容】
【０００６】
【課題を解決するための手段】
上述の課題を解決するため、本発明の画像処理装置によれば、入力画像に対して透かし情報を挿入する挿入手段と、前記挿入手段により少なくとも一部に透かし情報が挿入された前記入力画像をタイル画像に分割する分割手段と、前記タイル画像の夫々について、前記タイル内に透かし情報が挿入されているか否か、及び前記タイル内に文字や細線部が含まれるか否かを判断し、前記透かし情報が挿入されているタイル群、又は、前記透かし情報が挿入されていなくとも前記文字や細線部が含まれているタイル群には属性１を割り当て、それ以外のタイル群にはタイルの内容に応じた別の属性を割り当てる属性検出手段と、前記属性１に相当するタイル群を非圧縮のデータ形態として出力し、前記別の属性に相当するタイル群を各タイルとは別のデータ形態に変換して出力する出力手段とを備えることを特徴とする。


【手続補正３】
【補正対象書類名】明細書
【補正対象項目名】０００７
【補正方法】変更
【補正の内容】
【０００７】
または、入力画像に対して透かし情報を挿入する挿入手段と、前記挿入手段により少なくとも一部に透かし情報が挿入された前記入力画像をタイル画像に分割する分割手段と、前記タイル画像の夫々について、前記タイル内に透かし情報が挿入されているか否か、及び前記タイル内に前記透かし情報とは異なる重要な情報が含まれるか否かを判断し、前記透かし情報が挿入されているタイル群、又は、前記透かし情報が挿入されていなくとも前記重要な情報が含まれているタイル群には属性１を割り当て、それ以外のタイル群にはタイルの内容に応じた別の属性を割り当てる属性検出手段と、前記属性１に相当するタイル群を非圧縮のデータ形態として出力し、前記別の属性に相当するタイル群を各タイルとは別のデータ形態に変換して出力する出力手段とを備えることを特徴とする。


【手続補正４】
【補正対象書類名】明細書
【補正対象項目名】００９６
【補正方法】変更
【補正の内容】
【００９６】
ステップＳ６６０において、対象画像の画像データと暗号化された透かし情報とを周波数空間において合成し、透かし情報を対象画像に埋め込む。